(57)【要約】【課題】除湿装置に使用される安全装置において、本体内部の温度上昇を速やかに検知し、本体内部の温度を下げ、安全性を更に向上した除湿装置を提供することを目的とする。【解決手段】加熱手段１２に第１の温度検出部２２を設け、圧縮機４と加熱手段１２と送風手段１３と回動部１４とを制御する制御部１５は、第１の温度検出部２２の検出温度が第１の温度２７より高い場合には、加熱手段１２の加熱量を低減する構成にしたことにより、吸込口２または吹出口３の閉塞状態において、本体内部の温度上昇を速やかに検知し、本体内部の温度を下げ、安全性を更に向上させることができる。【選択図】図４
2018146172.tif 000002
【特許請求の範囲】
【請求項１】
吸込口と吹出口を有する本体ケースと、
圧縮機、放熱器、膨張器、吸熱器を順次環状に連結し冷媒を循環する冷凍サイクルと、
吸湿部および放湿部を有する除湿ロータと、加熱手段と、送風手段と、
前記除湿ロータを回転させる回動部と、
前記圧縮機と前記加熱手段と前記送風手段と前記回動部とを制御する制御部と、
前記送風手段によって前記吸込口から空気を吸引し前記吸湿部に供給して前記吹出口から排出する第１送風路と、
前記送風手段によって前記吸込口から空気を吸引し前記加熱手段、前記放湿部、前記吸熱器、前記放熱器の順に供給して前記吹出口から排出する第２送風路と、
前記吸込口から空気を吸引し前記放熱器に供給して前記吹出口から排出する第３送風路とを備え、
前記加熱手段には、第１の温度検出部を設け、
前記制御部は、前記第１の温度検出部の検出温度が第１の温度より高い場合には、加熱手段の加熱量を低減することを特徴とする除湿装置。
【請求項２】
前記制御部は、加熱手段の加熱量を低減した後で、前記第１の温度検出部の検出温度が第１の温度より低温である第２の温度より低い場合には、加熱手段の加熱量を元に戻すことを特徴とする請求項１に記載の除湿装置。
【請求項３】
前記制御部は、前記第１の温度検出部の検出温度が、前記第１の温度より高温である第３の温度より高い場合には、前記圧縮機と前記加熱手段と前記送風手段と前記回動部とを停止させることを特徴とする請求項１または２に記載の除湿装置。
【請求項４】
前記加熱手段には、第１の温度ヒューズを設け、
前記第１の温度ヒューズは、前記第１の温度ヒューズの温度が前記第３の温度より高温である第４の温度より高い場合には、前記圧縮機と、前記加熱手段と、前記送風手段、と前記回動部とを停止させることを特徴とする請求項３に記載の除湿装置。
【請求項５】
前記第１の温度ヒューズは、前記第１の温度検出部より、上方に配置されたことを特徴とする請求項４に記載の除湿装置。
【請求項６】
前記第２送風路における前記放湿部と前記吸熱器との間に第２の温度検出部を設け、
前記制御部は、前記第２の温度検出部の検出温度が第５の温度より高い場合には、加熱手段の加熱量を低減することを特徴とする請求項１から５のいずれかに記載の除湿装置。
【請求項７】
前記制御部は、加熱手段の加熱量を低減した後で、前記第２の温度検出部の検出温度が第５の温度より低温である第６の温度より低い場合には、加熱手段の加熱量を元に戻すことを特徴とする請求項６に記載の除湿装置。
【請求項８】
前記制御部は、前記第２の温度検出部の検出温度が、前記第５の温度より高温である第７の温度より高い場合には、前記圧縮機と前記加熱手段と前記回動部とを停止させることを特徴とする請求項６または７に記載の除湿装置。
【請求項９】
前記第２送風路における前記放湿部と前記吸熱器との間に第２の温度ヒューズを設け、
前記第２の温度ヒューズは、前記第２の温度ヒューズの温度が前記第７の温度より高温である第８の温度より高い場合には、前記圧縮機と、前記加熱手段と、前記送風手段、と前記回動部とを停止させることを特徴とする請求項８に記載の除湿装置。
【請求項１０】
前記第２の温度ヒューズは、前記第２の温度検出部より、上方に配置されたことを特徴とする請求項４に記載の除湿装置。
【請求項１１】
前記第２の温度ヒューズは、前記第２の温度検出部より、前記除湿ロータの回転方向における上流側に配置されたことを特徴とする請求項９に記載の除湿装置。
【請求項１２】
前記第１送風路には、前記吸湿部と前記吹出口との間に前記送風手段を備え、
前記第１送風路における前記吸湿部と前記送風手段との間に第３の温度検出部を設け、
前記制御部は、前記第２の温度検出部の検出温度が第９の温度より高い場合には、加熱手段の加熱量を低減することを特徴とする請求項１から１１のいずれかに記載の除湿装置。
【請求項１３】
前記制御部は、加熱手段の加熱量を低減した後で、前記第３の温度検出部の検出温度が第９の温度より低温である第１０の温度より低い場合には、加熱手段の加熱量を元に戻すことを特徴とする請求項１２に記載の除湿装置。
【請求項１４】
前記第３の温度検出部は、前記除湿ロータに対向し、前記除湿ロータの回転方向における上流側に配置されたことを特徴とする請求項１３に記載の除湿装置。
【請求項１５】
前記制御部は、前記第３の温度検出部の検出温度が第９の温度より高温である第１１の温度より高い場合には、前記圧縮機と前記加熱手段と前記回動部とを停止することを特徴とする請求項１２から１４のいずれかに記載の除湿装置。
【発明の詳細な説明】
【技術分野】
【０００１】
本発明は、除湿装置に使用される安全装置に関するものである。
【背景技術】
【０００２】
吸込口と吹出口を有する本体ケース内には、冷凍サイクルと、除湿ロータと、加熱手段と、送風手段と、回動部とを有している。冷凍サイクルは、圧縮機、放熱器、膨張器、吸熱器を順次環状に連結し、冷媒が循環する。除湿ロータは、吸湿部および放湿部を有し、回動部によって回転する。圧縮機と、加熱手段と、送風手段と、回動部とは、制御部によって制御される。
【０００３】
本体ケース内には、第１送風路と、第２送風路と、第３送風路とを有している。第１送風路は、送風手段によって、吸込口から空気を吸引し、吸湿部に供給して、吹出口から排出する風路である。第２送風路は、送風手段によって、吸込口から空気を吸引し、加熱手段、放湿部、吸熱器、放熱器の順に供給して、吹出口から排出する風路である。第３送風路は、送風手段によって、吸込口から空気を吸引し、放熱器に供給して、吹出口から排出する風路である（たとえば、特許文献１参照）。
【先行技術文献】
【特許文献】
【０００４】
【特許文献１】特開２０１６−８７５８５号公報
【発明の概要】
【発明が解決しようとする課題】
【０００５】
このような従来の除湿装置においては、吸込口から空気を吸引し加熱手段、放湿部、吸熱器、放熱器の順に供給して吹出口から排出する複雑な風路を備えた構成となっていたので、吸込口または吹出口が閉塞状態において本体内部の温度上昇を速やかに検知し難いという課題を有していた。
【０００６】
そこで本発明は、上記従来の課題を解決するものであり、吸込口または吹出口の閉塞状態において、本体内部の温度上昇を速やかに検知し、本体内部の温度を下げ、安全性を更に向上した除湿装置を提供することを目的とする。
【課題を解決するための手段】
【０００７】
そして、この目的を達成するために、本発明に関わる除湿装置は、吸込口と吹出口を有する本体ケースと、圧縮機、放熱器、膨張器、吸熱器を順次環状に連結し冷媒を循環する冷凍サイクルと、吸湿部および放湿部を有する除湿ロータと、加熱手段と、送風手段と、
前記除湿ロータを回転させる回動部と、前記圧縮機と前記加熱手段と前記送風手段と前記回動部とを制御する制御部と、前記送風手段によって前記吸込口から空気を吸引し前記吸湿部に供給して前記吹出口から排出する第１送風路と、前記送風手段によって前記吸込口から空気を吸引し前記加熱手段、前記放湿部、前記吸熱器、前記放熱器の順に供給して前記吹出口から排出する第２送風路と、前記吸込口から空気を吸引し前記放熱器に供給して前記吹出口から排出する第３送風路とを備え、前記加熱手段には、第１の温度検出部を設け、前記制御部は、前記第１の温度検出部の検出温度が第１の温度より高い場合には、加熱手段の加熱量を低減するものであり、これにより所期の目的を達成するものである。
【発明の効果】
【０００８】
本発明によれば、吸込口と吹出口を有する本体ケースと、圧縮機、放熱器、膨張器、吸熱器を順次環状に連結し冷媒を循環する冷凍サイクルと、吸湿部および放湿部を有する除湿ロータと、加熱手段と、送風手段と、前記除湿ロータを回転させる回動部と、前記圧縮機と前記加熱手段と前記送風手段と前記回動部とを制御する制御部と、前記送風手段によって前記吸込口から空気を吸引し前記吸湿部に供給して前記吹出口から排出する第１送風路と、前記送風手段によって前記吸込口から空気を吸引し前記加熱手段、前記放湿部、前記吸熱器、前記放熱器の順に供給して前記吹出口から排出する第２送風路と、前記吸込口から空気を吸引し前記放熱器に供給して前記吹出口から排出する第３送風路とを備え、前記加熱手段には、第１の温度検出部を設け、前記制御部は、前記第１の温度検出部の検出温度が第１の温度より高い場合には、加熱手段の加熱量を低減するので、吸込口または吹出口の閉塞状態において、本体内部の温度上昇を速やかに検知し、本体内部の温度を下げ、安全性を更に向上させることができる。
【図面の簡単な説明】
【０００９】
【図１】本発明の実施形態の除湿装置の外観斜視図
【図２】本発明の実施の形態にかかる除湿装置のＡ−Ａ断面図
【図３】加熱手段の出力を制御する制御部の構成を説明するブロック回路図
【図４】本発明の実施形態にかかわる第１の温度検出部２２と、第１の温度ヒューズ２３と、第２の温度検出部２４と、第２の温度ヒューズ２５と、第３の温度検出部２６の設置位置を示した構成図
【図５】加熱手段の出力を制御する制御部の制御シーケンスの説明の図
【図６】加熱手段の出力を制御する制御部の制御シーケンスの説明の図
【図７】本発明の実施形態にかかわる第２の温度検出部２４と、第２の温度ヒューズ２５の設置位置を示した構成図
【図８】加熱手段の出力を制御する制御部の制御シーケンスの説明の図
【図９】加熱手段の出力を制御する制御部の制御シーケンスの説明の図
【図１０】加熱手段の出力を制御する制御部の制御シーケンスの説明の図
【発明を実施するための形態】
【００１０】
本発明に関わる除湿装置は、吸込口と吹出口を有する本体ケースと、圧縮機、放熱器、膨張器、吸熱器を順次環状に連結し冷媒を循環する冷凍サイクルと、吸湿部および放湿部を有する除湿ロータと、加熱手段と、送風手段と、前記除湿ロータを回転させる回動部と、前記圧縮機と前記加熱手段と前記送風手段と前記回動部とを制御する制御部と、前記送風手段によって前記吸込口から空気を吸引し前記吸湿部に供給して前記吹出口から排出する第１送風路と、前記送風手段によって前記吸込口から空気を吸引し前記加熱手段、前記放湿部、前記吸熱器、前記放熱器の順に供給して前記吹出口から排出する第２送風路と、前記吸込口から空気を吸引し前記放熱器に供給して前記吹出口から排出する第３送風路とを備え、前記加熱手段には、第１の温度検出部を設け、前記制御部は、前記第１の温度検出部の検出温度が第１の温度より高い場合には、加熱手段の加熱量を低減する構成である。
【００１１】
これにより、吸込口や吹出口の閉塞など加熱手段に供給される空気が減少した等の異常発生時は、第１の温度検出部が加熱手段周辺の空気温度の上昇を検知し、第１の温度より高くなった場合は制御部が加熱手段の出力を減少させることができる。結果として、異常時に本体内部の温度上昇を速やかに検知し、本体内部の温度を下げ、安全性を更に向上させることができる。更に、樹脂の劣化を抑制することができる。
【００１２】
また、加熱手段の出力が減少したことで本体内部の温度が減少し、第１の温度検出部の温度が第１の温度より低温である第２の温度より低くなった場合は、制御部が加熱手段の加熱量を元に戻すことができる構成にしてもよい。
【００１３】
これにより、閉塞などの異常時が解消した場合に、除湿装置の運転を元に戻すことができる。結果として、使用者が操作することなく除湿装置の機能を最大限発揮できる状態に戻すことができ、利便性を向上させることができる。
【００１４】
また、第１の温度検出部の検出温度が第１の温度より高温である第３の温度より高くなった場合、制御部が圧縮機と加熱手段と回動部を停止させることができる構成にしてもよい。これにより、送風手段によって本体内部の熱を本体外へ排出し、本体内部の温度を下げることが出来る。結果、安全性を更に向上させることができる。
【００１５】
また、加熱手段に設けられた第１の温度ヒューズが、第３の温度より高温である第４の温度より高い場合には、圧縮機と、加熱手段と、送風手段と、回動部とを停止させることができる構成にしてもよい。
【００１６】
これにより、吸込口や吹出口の閉塞など加熱手段に供給される空気が減少した等の異常発生時に第１の温度検出部に不具合が生じた場合などの異常発生時は、第１の温度ヒューズが加熱手段周辺の空気温度の上昇を検知し、第４の温度より高くなった場合は、圧縮機と、加熱手段と、送風手段と、回動部を停止させることができる。結果として、安全性を更に向上させることができる。
【００１７】
また、第１の温度ヒューズは、第１の温度検出部に不具合が生じた場合などの異常発生時は、温度が上昇しやすい上方に配置し、速やかに本体内の温度上昇を検知することができる構成にしてもよい。これにより、安全性を更に向上させることができる。
【００１８】
また、第２送風路における放湿部と吸熱器との間に第２の温度検出部を設け、第２の温度検出部の検出温度が第５の温度より高い場合には、制御部は、加熱手段の加熱量を低減することができる構成にしてもよい。
【００１９】
これにより、低湿時に除湿ロータの蒸発熱が減少した場合、第２の温度検出部が除湿ロータ付近の空気温度の上昇を検知し、検出温度が第５の温度より高くなった場合は制御部が加熱手段の出力を減少させることができる。結果として、低湿時などに本体内部の温度上昇を速やかに検知し、本体内部の温度を下げ、安全性を更に向上させることができる。さらに、除湿ロータの劣化や樹脂の劣化を抑制することができる。
【００２０】
また、加熱手段の出力が減少したことで本体内部の温度が減少し、第２の温度検出部の温度が第５の温度より低温である第６の温度より低くなった場合は、制御部が加熱手段の加熱量を元に戻すことができる構成にしてもよい。
【００２１】
これにより、高湿な外気の流入や洗濯物を干すなどして室内の湿度が低湿状態から上昇した場合に、低湿時に抑制されていた加熱手段の加熱量を元に戻し、除湿装置の機能を最大限発揮することができる。結果として、使用者に対して本体操作の要求なく、最適な運転をすることができる。
【００２２】
また、第２の温度検出部の検出温度が第５の温度より高温である第７の温度より高くなった場合、制御部が圧縮機と加熱手段と回動部を停止させることができる構成にしてもよい。これにより、送風手段によって本体内部の熱を本体外へ排出し、本体内部の温度を下げることが出来る。結果、安全性を更に向上させることができる。
【００２３】
また、第２送風路における放湿部と吸熱器との間に設けられた第２の温度ヒューズが、第７の温度より高温である第８の温度より高い場合には、圧縮機と、加熱手段と、送風手段と、回動部とを停止させることができる構成にしてもよい。
【００２４】
これにより、回動部の動作に不具合が生じた場合などの異常発生時は、第２の温度ヒューズが加熱手段周辺の空気温度の上昇を検知し、第８の温度より高くなった場合は、制御部が圧縮機と、加熱手段と、送風手段と、回動部を停止させることができる。結果として、安全性を更に向上させることができる。
【００２５】
また、第２の温度ヒューズは、回動部の動作に不具合が生じた異常発生時などで、温度が上昇しやすい上方に配置し、速やかに本体内の温度上昇を検知することができる構成にしてもよい。これにより、安全性を更に向上させることができる。
【００２６】
また、第２の温度ヒューズは、回動部の動作に不具合が生じた場合などの異常発生時などで、温度が上昇しやすい上流側に配置し、速やかに本体内の温度上昇を検知することができる構成にしてもよい。
【００２７】
これにより、回動部の動作に不具合が生じた場合などの異常発生時は、上流側の方が、温度が上昇しやすいため、速やかに本体内の温度の上昇を検知することができる。結果として、安全性を更に向上させることができる。
【００２８】
また、第１送風路における吸湿部と送風手段との間に設けられた第３の温度検出部の検出温度が、第９の温度より高い場合には、制御部が、加熱手段の加熱量を低減することができる構成にしてもよい。
【００２９】
これにより、低温低湿時などに吸熱器に霜が生成し、第２風路が閉塞した場合、第３の温度検出部が吸湿部と送風手段の間の空気温度の上昇を検知し、検知温度が第９の温度より高くなった場合は、制御部が加熱手段の出力を減少させることができる。結果として、安全性を更に向上させることができる。さらに、樹脂の劣化を防ぐことができる。
【００３０】
また、加熱手段の出力が減少したことで本体内部の温度が減少し、第３の温度検出部の温度が第９の温度より低温である第１０の温度より低くなった場合は、制御部が加熱手段の加熱量を元に戻すことができる構成にしてもよい。
【００３１】
これにより、高湿な外気の流入や室温が上昇し、低温低湿などの異常時が解消した場合に、除湿装置の運転を元に戻すことができる。結果として、使用者が操作することなく除湿装置の機能を最大限発揮できる状態に戻すことができ、利便性を向上させることができる。
【００３２】
また、第３の温度検出部は、低温低湿時など吸熱器に霜が生成され、第２風路が閉塞したなどの異常発生時に、温度が上昇しやすい、除湿ロータの回転方向における上流側に配置する構成にしてもよい。これにより、速やかに本体内の温度上昇を検知することができ、安全性を更に向上させることができる。
【００３３】
また、第３の温度検出部の検出温度が第９の温度より高温である第１１の温度より高くなった場合、制御部が圧縮機と加熱手段と回動部を停止させることができる構成にしてもよい。これにより、送風手段によって本体内部の熱を本体外へ排出し、本体内部の温度を下げることが出来る。結果、安全性を更に向上させることができる。
以下、本発明の実施例について図面を参照しながら説明する。
【００３４】
（実施の形態）
図１、図２において、箱型の本体ケース１は、この本体ケース１の上部には吹出口３が配置され、側面には、吸込口２が配置されている。吸込口２は、第１の吸込口２Ｒと第２の吸込口２Ｌとを備えている。第１の吸込口２Ｒは、本体ケース１における右側面に設けられ、第２の吸込口２Ｌは、本体ケース１における左側面に設けられている。
【００３５】
本体ケース１内には、圧縮機４と放熱器５と膨張器６と吸熱器７とを順次環状に連結し冷媒を循環する冷凍サイクル８を設置し、室内空気を吸込口２から吹出口３に送風する送風手段１３を設置している。さらに、空気から水分を吸着する吸湿部９および、空気に水分を放出する放湿部１０を有する除湿ロータ１１を備え、放湿部１０に供給される空気、および放湿部１０を加熱する加熱手段１２を備えている。
【００３６】
そして、本体ケース１内においては、順次、除湿ロータ１１、吸熱器７、放熱器５、送風手段１３の順に並設している。吸熱器７と放熱器５の上端は、同じ高さになるように配置されている。除湿ロータ１１は、円板状に形成され中心軸が水平方向にあるように回転可能に立設され、回動部１４により回転している。さらに除湿ロータ１１の放湿部１０の風上側には、加熱手段１２を設置している。放湿部１０と吸熱器７とは、対向するように配置されている。
【００３７】
また、本体ケース１内において、吸熱器７の下方には、漏斗状の集水手段１６を設け、さらに、集水手段１６の下方には集水タンク１７を、本体ケース１に対して着脱自在に配置している。つまり、吸熱器７部分で結露をさせ、その結露水を漏斗状の集水手段１６で集めて集水タンク１７に流入させるようにしているのである。
【００３８】
本体ケース１内には、第１送風路１８と、第２送風路１９と、第３送風路２０と、第４送風路２１とを備えている。
【００３９】
第１送風路１８は、吸込口２から空気を吸引し吸湿部９に供給し、送風手段１３を介して吹出口３に排出する風路である。第１送風路１８においては、吸込口２から吸い込まれた室内空気は除湿ロータ１１の吸湿部９に供給される。この時、空気中の水分が吸湿部９に吸着され、乾燥した空気となる。さらに、水分を吸着する際の吸着熱が発生するので、室内空気は湿度が低減し、温度が上昇した状態で、放熱器５および吸熱器７の上方を主に介して送風手段１３に吸引され、吹出口３から室内へ送風されることになる。
【００４０】
第２送風路１９は、吸込口２から空気を吸引し加熱手段１２、放湿部１０、吸熱器７、放熱器５の順に供給し、送風手段１３を介して吹出口３から排出する風路である。第２送風路１９においては、加熱手段１２によって温められた室内空気は、除湿ロータ１１の放湿部１０に供給される。放湿部１０では、吸湿部９で吸着した水分が除湿ロータ１１の回転駆動により放湿部１０に移動し、加熱手段１２の加熱により供給された空気に放出される。この高湿の空気が吸熱器７に供給され、冷却されることにより結露し、水分は水滴として取出される。この後、冷却された空気は、放熱器５に供給され、放熱器５を冷却する。そして、放熱器５から熱を奪い、温度が上昇した空気が送風手段１３に吸引されることになる。冷凍サイクル８としては、放熱器５を効果的に冷却することが、吸熱器７を冷却するに際して、冷却効率を上昇させることになる。
【００４１】
第３送風路２０は、吸込口２から空気を吸引し放熱器５に供給し、送風手段１３を介して吹出口３から排出する風路である。第３送風路２０においては、吸込口２から吸い込まれた室内空気は、加熱手段１２と除湿ロータ１１と吸熱器７の下方を主に介して放熱器５に供給され、放熱器５を冷却したのち、送風手段１３に吸引されることになる。
【００４２】
吸熱器７における冷却結露に対しては、その表面積や冷凍サイクル８の動作熱量などにより、最適風量が存在する。一方、冷凍サイクル８としては、放熱器５を効果的に冷却することが、吸熱器７を冷却するに際して、冷却効率を上昇させることになる。上述のように第３送風路２０を配置することにより、放熱器５により多くの風量を供給することができるので、冷凍サイクル８の冷却効率を向上させることができ、除湿装置の除湿効率を向上させることができるものである。
【００４３】
第４送風路２１は、吸込口２から空気を吸引し放湿部１０、吸熱器７、放熱器５の順に供給し、送風手段１３を介して吹出口３から排出する風路である。第４送風路２１においては、吸込口２から吸い込まれた室内空気は、加熱手段１２と除湿ロータ１１の下方を主に介して吸熱器７に供給され、冷却されることにより結露し、水分は水滴として取り出される。この後、冷却された空気は、放熱器５に供給され、放熱器５を冷却する。そして放熱器５から熱を奪い、温度が上昇した空気が送風手段１３に吸引されることになる。
【００４４】
除湿ロータ１１の放湿部１０に送風する風量には、放湿部１０出口の空気をより結露しやすい空気（湿度が高く、温度が低い空気）とするため、最適な風量が存在する。一方、吸熱器７における冷却結露に対しても、その表面積や冷凍サイクル８の動作熱量などにより、最適風量が存在する。これらの風量のアンバランスを解消するため、上述の第４送風路２１を設けることにより、吸熱器７への最適風量と、放湿部１０への最適風量をバランスさせることができる。
【００４５】
なお、除湿ロータ１１の放湿部１０と、吸熱器７との間には、第２送風路１９と第３送風路２０とが連通する連通風路４３を備えても良い。具体的には、連通風路４３は、除湿ロータ１１の放湿部１０周縁と吸熱器７との隙間である。すなわち、第４送風路２１を流れている室内の空気の一部が、連通風路４３を介して、第２送風路１９から吸熱器７へ流れても良い。
【００４６】
第２送風路１９において、放湿部１０から流出する空気は、水分が多く含まれ、加熱手段１２の余熱も追加されており温度も高くなっており顕熱の比率が大きくなっているが、上述のように、この空気に連通風路４３を介して第４送風路２１からの室内空気を混合することにより、第２送風路１９における放湿部１０から吸熱器７へ流れる空気の温度が下がり、顕熱比率を下げることができ、より結露しやすい空気とすることができる。このように、作用する各送風路の風量のバランスは吸込口２からそれぞれの風路を通り送風手段１３に吸引されるまでの通風抵抗によって決定する。
【００４７】
図３は本実施形態における制御ブロック図である。
【００４８】
図３に示すごとく、制御部１５は、第１の温度検出部２２、第２の温度検出部２４、第３の温度検出部２６の温度を検出する。その入力から、制御部１５は、圧縮機４、送風手段１３、加熱手段１２、回動部１４の出力を自在に設定することが可能である。また、第１の温度ヒューズ２３は第４の温度３０、第２の温度ヒューズ２５は第８の温度３６を超えると溶断し、制御部１５の電流を遮断することができる。
【００４９】
図４に示すように、第２送風路１９における加熱手段１２には第１の温度検出部２２と第１の温度ヒューズ２３が取り付けられている。なお、第１の温度検出部２２と第１の温度ヒューズ２３の検知部は、加熱手段１２周辺の温度や本体カバー周辺の温度を検知するために取り付け面の板金に設けられた貫通穴上に配置されている。この構成により、閉塞など加熱手段１２に供給される空気が減少した等の異常発生時は、第１の温度検出部２２が加熱手段１２周辺の空気温度の上昇を検知することができる。さらに、第１の温度ヒューズ２３は第１の温度検出部２２より上方に配置されている。この構成により、送風手段１３の送風動作に不具合が生じた場合などの異常発生時は、温度が上昇しやすいため、速やかに本体内の温度上昇を検知することができ、より安全性を向上させることができる。
【００５０】
以下、図５（ａ）、（ｂ）、（ｃ）について具体的に説明する。
【００５１】
図５は、洗濯物が落下し吸込口２や吹出口３を塞ぎ、風量が著しく低下した場合である。この場合、第２送風路１９における放湿部１０と吸熱器７との間に設けられた第２の温度検出部の検出温度３７はあまり変化しないが、加熱手段１２に設けた第１の温度検出部の検出温度３１は上昇する。第２の温度検出部の検出温度３７の上昇値より、第１の温度検出部の検出温度３１の上昇値の方が大きい。
【００５２】
図５（ａ）に示すごとく、第１の温度検出部の検出温度３１が第１の温度２７より高くなった場合に、制御部１５は加熱手段１２の出力を減少する。
【００５３】
これにより、加熱手段１２の温度上昇を速やかに検知することができ、樹脂部品の温度上昇を防ぎ、更に安全性を向上することが可能になる。更に、加熱手段１２の出力が減少するため、加熱手段１２に残存した熱を拡散することが可能になり、本体内部の温度を下げることが可能になる。図５（ａ）の動作は、本体に入力される電源電圧が異常に上昇した場合や、吸込口２や吹出口３が埃やゴミ等で封鎖された場合にも有効である。
【００５４】
図５（ｂ）は、吸込口２や吹出口３を塞いでいた洗濯物が除去された場合である。つまり、送風手段１３が復帰した場合である。これにより、加熱手段１２に残存していた熱を排出し、図５（ｂ）に示すごとく、第１の温度検出部の検出温度３１が第２の温度２８より低くなった場合、制御部１５が加熱手段１２の加熱量を元に戻すことができる。
【００５５】
これにより、使用者が操作することなく除湿装置の機能を最大限発揮できる状態に戻すことができ、利便性を向上させることができる。図５（ｂ）の動作は、異常に上昇した電源電圧が元に戻った場合や、吸込口２や吹出口３を封鎖していた埃やゴミ等が除去された場合でも有効である。
【００５６】
図５（ｃ）に示すごとく、第１の温度検出部の検出温度３１が第３の温度２９より高くなった場合、制御部１５は、制御部１５が圧縮機４と加熱手段１２と回動部１４を停止する。これにより、送風手段１３によって本体内部の熱を本体外へ排出し、本体内部の温度を下げることが出来る。結果、安全性を更に向上させることができる。
【００５７】
図６は、第１の温度検出部２２に不具合が生じ、第１の温度検出部２２が加熱手段１２周辺の空気温度の上昇を検知しない場合である。図５に示すがごとく、第１の温度ヒューズの検出温度３２が第４の温度３０より高くなった場合に、制御部１５は、圧縮機４と、加熱手段１２と、送風手段１３と、回動部１４とを停止させることができる。これにより、安全性を更に向上させることができる。
【００５８】
図４と図７に示すように、第２送風路１９における放湿部１０と吸熱器７との間に第２の温度検出部２４と第２の温度ヒューズ２５が取り付けられている。なお、放湿部１０と吸熱器７とは対向している。この構成により、低湿時に除湿ロータ１１の蒸発熱が減少した場合、第２の温度検出部２４が除湿ロータ１１付近の空気温度の上昇を検知し、検出温度が第５の温度より高くなった場合は制御部１５が加熱手段１２の出力を減少させることができる。さらに、第２の温度ヒューズ２５は、第２の温度検出部２４より上方で、前記除湿ロータ１１の回転方向における上流側に配置されている。この構成により、低湿時は温度の上昇が第２の温度検出部２４に比べて遅くなるため、第２の温度ヒューズ２５の早切れの発生を減少させることができる。更に、除湿ロータ１１の回転に不具合が生じた場合などの異常発生時は、温度が上昇しやすいため、速やかに本体内の温度上昇を検知することができ、より安全性を向上させることができる。
【００５９】
以下、図８（ａ）、（ｂ）、（ｃ）について具体的に説明する。
【００６０】
図８は、低湿時に除湿ロータ１１の蒸発熱が減少し、除湿ロータ１１付近の空気温度が上昇した場合である。この場合、加熱手段１２に設けられた第１の温度検出部の検出温度３１はあまり変化しないが、第２の温度検出部の検出温度３７は上昇する。第１の温度検出部の検出温度３１の上昇値より、第２の温度検出部の検出温度３７の上昇値の方が大きい。
【００６１】
図８（ａ）に示すごとく、第２の温度検出部の検出温度３７が第５の温度３３より高くなった場合に、制御部１５は加熱手段１２の出力を減少する。
【００６２】
これにより、除湿ロータ１１の劣化や樹脂部品の劣化を防ぎ、更に安全性を向上することが可能になる。更に、加熱手段１２の出力が減少するため、加熱手段１２に残存した熱を拡散することが可能になり、本体内部の温度を下げることが可能になる。
【００６３】
図８（ｂ）は、高湿な外気の流入や洗濯物を干すなどして室内の湿度が低湿状態から上昇した場合である。図８（ｂ）に示すごとく、第２の温度検出部の検出温度３７が第６の温度３４より低くなった場合、制御部１５が加熱手段１２の加熱量を元に戻すことができる。
【００６４】
これにより、使用者が操作することなく除湿装置の機能を最大限発揮できる状態に戻すことができ、利便性を向上させることができる。
【００６５】
図８（ｃ）に示すごとく、第２の温度検出部の検出温度３７が第７の温度３５より高くなった場合、制御部１５は、制御部１５が圧縮機４と加熱手段１２と回動部１４を停止する。これにより、送風手段１３によって本体内部の熱を本体外へ排出し、本体内部の温度を下げることが出来る。結果、安全性を更に向上させることができる。
【００６６】
図９は、回動部１４の動作に不具合が生じ、更に第２の温度検出部２４に不具合が生じ、第２の温度検出部２４が除湿ロータ１１の温度上昇を検知できない場合である。図９に示すがごとく、第２の温度ヒューズの検出温度３８が第８の温度３６より高くなった場合に、制御部１５は、圧縮機４と、加熱手段１２と、送風手段１３と、回動部１４とを停止させることができる。これにより、除湿ロータ１１の劣化を防ぎ、安全性を更に向上させることができる。
【００６７】
図４に示すように、第１送風路における吸湿部９と送風手段１３との間に第３の温度検出部２６が取り付けられ、除湿ロータ１１の回転方向における上流側に配置されている。具体的には、第３の温度検出部２６は、除湿ロータ１１の回転軸方向において、吸湿部９に対向し、上方から見ると、吸熱器７と吸湿部９との間に設置されている。
この構成により、低温低湿時などに吸熱器７に霜が生成し、第２風路が閉塞した場合、第３の温度検出部２６が吸湿部９と送風手段１３の間の空気温度の上昇を速やかに検知し、検知温度が第９の温度より高くなった場合は、制御部１５が加熱手段１２の出力を減少させることができる。
【００６８】
以下、図１０（ａ）、（ｂ）、（ｃ）について具体的に説明する。
【００６９】
図１０は、低温低湿時に吸熱器７に霜が生成し、第２風路が閉塞した場合である。この場合、第２送風路１９における放湿部１０と吸熱器７との間に設けられた第２の温度検出部の検出温度３７や加熱手段１２に設けた第１の温度検出部の検出温度３１の温度はあまり上昇しないが、第１送風路における吸湿部９の送風手段１３との間に取り付けられた第３の温度検出部の検出温度４２は上昇する。第１の温度検出部の検出温度３１の上昇値と第２の温度検出部の検出温度３７の上昇値より、第３の温度検出部の検出温度４２の上昇値の方が大きい。
【００７０】
図１０（ａ）に示すごとく、第３の温度検出部の検出温度４２が第９の温度３９より高くなった場合に、制御部１５は加熱手段１２の出力を減少する。
【００７１】
これにより、樹脂部品の劣化を防ぎ、更に安全性を向上することが可能になる。更に、加熱手段１２の出力が減少するため、加熱手段１２に残存した熱を拡散することが可能になり、本体内部の温度を下げることが可能になる。
【００７２】
図１０（ｂ）は、高湿な外気の流入や室温が上昇するなど異常時が解消した場合である。図１０（ｂ）に示すごとく、第３の温度検出部の検出温度４２が第１０の温度４０より低くなった場合、制御部１５が加熱手段１２の加熱量を元に戻すことができる。
【００７３】
これにより、使用者が操作することなく除湿装置の機能を最大限発揮できる状態に戻すことができ、利便性を向上させることができる。
【００７４】
図１０（ｃ）に示すごとく、第３の温度検出部の検出温度４２が第１１の温度４１より高くなった場合、制御部１５は、制御部１５が圧縮機４と加熱手段１２と回動部１４を停止する。これにより、送風手段１３によって本体内部の熱を本体外へ排出し、本体内部の温度を下げることが出来る。結果、安全性を更に向上させることができる。
【産業上の利用可能性】
【００７５】
本発明に係る除湿装置は、閉塞や低温や低湿時などに異常が発生したことを速やかに検知し、安全性を更に向上させることを可能とするものであり、発熱手段を用いる空調機器等に有用である。
【符号の説明】
【００７６】
１    本体ケース
２    吸込口
２Ｒ    第１の吸込口
２Ｌ    第２の吸込口
３    吹出口
４    圧縮機
５    放熱器
６    膨張器
７    吸熱器
８    冷凍サイクル
９    吸湿部
１０    放湿部
１１    除湿ロータ
１２    加熱手段
１３    送風手段
１４    回動部
１５    制御部
１６    集水手段
１７    集水タンク
１８    第１送風路
１９    第２送風路
２０    第３送風路
２１    第４送風路
２２    第１の温度検出部
２３    第１の温度ヒューズ
２４    第２の温度検出部
２５    第２の温度ヒューズ
２６    第３の温度検出部
２７    第１の温度
２８    第２の温度
２９    第３の温度
３０    第４の温度
３１    第１の温度検出部の検出温度
３２    第１の温度ヒューズの検出温度
３３    第５の温度
３４    第６の温度
３５    第７の温度
３６    第８の温度
３７    第２の温度検出部の検出温度
３８    第２の温度ヒューズの検出温度
３９    第９の温度
４０    第１０の温度
４１    第１１の温度
４２    第３の温度検出部の検出温度
４３    連通風路
【図１】
2018146172.tif 000003
【図２】
2018146172.tif 000004
【図３】
2018146172.tif 000005
【図４】
2018146172.tif 000006
【図５】
2018146172.tif 000007
【図６】
2018146172.tif 000008
【図７】
2018146172.tif 000009
【図８】
2018146172.tif 000010
【図９】
2018146172.tif 000011
【図１０】
2018146172.tif 000012